(57)【特許請求の範囲】
【請求項１】
固形の脱毛処理用ワックス剤が収容された状態で電子レンジ内に入れられて、電子レンジ内に照射された電磁波によって前記脱毛処理用ワックス剤を加熱溶融可能で、
前記脱毛処理用ワックス剤が直接入れられる上部開口の紙製の内容器と、この内容器が収容される上部開口の樹脂製の外容器を備え、
前記内容器は、内容器本体と、この内容器本体の上縁から外側に張り出す鍔部を有し、
前記外容器は、前記内容器全体を収容可能で、上端部が、前記鍔部の外周面に沿う内面形状をしていて、内容器本体の周壁との間に隙間が形成される大きさをした外容器本体と、
この外容器本体の内壁面から突設され、前記外容器本体内に収容された前記内容器本体の少なくとも底を前記外容器本体の底から浮き上がった状態に支える複数のリブを備えている脱毛処理用ワックス剤の加熱容器であって、
前記内容器は、薄紙のシートが深絞り成形されるとともに、前記薄紙のシートの周縁が外側に向かって筒状に巻き込まれた状態の前記鍔部を有し、
前記外容器は、
前記リブが、前記外容器本体の内底から立ち上がり、前記内容器本体の底の周縁部を受ける底受部と、
前記外容器本体の下端部内側壁から外容器内側に突設され、前記内容器本体の側面と、下端部と対面するように設けられた横ずれ規制部を有する側面視略Ｌ字形をしているとともに、前記底受部が、他のリブの底受部と不連続状態となっており、かつ、
前記横ずれ規制部が、前記内容器を、前記外容器本体内へ正常に収容した状態で、前記内容器本体との間に隙間が生じるように、前記外容器本体の側壁に沿って設けられていることを特徴とする脱毛処理用ワックス剤の加熱容器。
【請求項２】
前記リブは、底受部の長さが５〜６ｍｍ、横ずれ規制部の底受部からの立ち上がり高さが５〜６ｍｍ、厚みが０．５〜２ｍｍである請求項１に記載の脱毛処理用ワックス剤の加熱容器。
【請求項３】
３〜５個の前記リブが放射状に等ピッチで設けられている請求項１または請求項２に記載の脱毛処理用ワックス剤の加熱容器。
【発明の詳細な説明】
【技術分野】
【０００１】
本発明は、脱毛処理用ワックス剤の加熱容器に関する。
【背景技術】
【０００２】
体毛を脱毛する方法の１つとして脱毛専用に開発された脱毛処理用ワックス剤（以下、「ワックス剤」と記す）を用いる方法がある。
上記ワックス剤は、常温で固形であって、使用時に加熱容器内で加熱融解させたのち、融解状態あるいは半融解状態のワックス剤を、固化するまでの間に体の脱毛しようとする部位に塗布し、ワックス剤と体毛に絡み合わせたのち、ワクッス剤が固化させる。そして固化後に、固化したワックス剤を引き剥がすことによって、ワックス剤に絡まった体毛が脱毛されるようになっている。
【０００３】
ところで、固形のワックス剤を加熱し融解状態とするために、例えば、加熱源と、温度制御器と、ワックスを収納したワックス容器又は該ワックス容器を含むワックス塗布器を加熱する加熱スペースと、前記ワックス塗布器をワックス溶融状態のまま保温する保温スペースと、前記加熱スペースを開閉する蓋部を有し、全体を包む本体ボデーとから構成されることを特徴とするワックスヒーターが提案されている（特許文献１参照）。
【０００４】
しかし、上記のようなワックスヒーターは、一日に何度も脱毛処理を行うようなエステティックサロンなどでは重宝であるが、一度に少量のワックス剤しか用いないような場合には、非効率である。しかも、大掛かりで嵩張るという問題がある。
すなわち、例えば、家庭において、ワックス剤を用いて鼻毛を脱毛する場合などは、１回でワックス剤の使用量は極わずかである。
【０００５】
そこで、本発明の出願人は、図５に示すような樹脂製の外容器１１０と、紙製の内容器１２０を備え、ワックス剤を以下のようにして融解させたのち、鼻毛の脱毛などの少量しかワックス剤を用いない場合において、効率よく適量のワックス剤を融解できるワックス剤の加熱容器１００をすでに上市している。
【０００６】
すなわち、この加熱容器１００は、まず、図６に示すように、例えば１回の使用量分あるいは複数回の使用量分の粒状をした固定のワックス剤Ｗを内容器１２０内に入れるとともに、図５に示すように、内容器１２０を水２００が張られた外容器１１０の上方に臨ませたのち、図示していないが、内容器１２０の上端で外側に張り出すように設けられえた鍔部１２１が外容器１１０に上端面に受けられるまで、内容器１２０を外容器１１０内に挿入する。
【０００７】
つぎに、内容器１２０の開口を樹脂ラップで覆った状態としたのち、内容器１２０の外容器１１０への挿入状態を保ったまま、加熱容器１００を、電子レンジ（図示せず）に入れ、電磁波を所定時間ワックス剤Ｗに照射して、ワックス剤Ｗを融解状態になるまで加熱し、図７に示すように、所定の温度融解ワックス剤Ｗ１とする。
すなわち、上記加熱容器１００を用いれば、自宅で鼻毛の脱毛を行う場合のように、少量しかワックス剤を使用しない場合において、特殊な装置を用いることなく、家庭にある電子レンジを用いるだけで、容易かつ適量のワックス剤Ｗを無駄なく融解できる。
【０００８】
なお、この加熱容器１００を用いて融解状態とした融解ワックス剤Ｗ１は、例えば、図８〜図１０に示すようにして鼻毛Ｈの脱毛の用いることができる。
すなわち、上記のようにしてワックス剤Ｗが融解状態になったら、加熱容器１００を電子レンジ３００から取り出したのち、図８に示すように、専用のスティック２００の先端に融解ワックス剤Ｗ１を所定量からませる。
【０００９】
そして、図９に示すように、融解ワックス剤Ｗ１が固化する前に、鼻の内部に融解ワックス剤Ｗ１部分を差し入れ、融解ワックス剤Ｗ１を鼻内部で固化させたのち、図１０に示すように、スティック２００を鼻３００から引き抜くことによって、ワックス剤Ｗに絡まった鼻毛Ｈを脱毛する。
【先行技術文献】
【特許文献】
【００１０】
【特許文献１】特開2009-61078号公報
【発明の概要】
【発明が解決しようとする課題】
【００１１】
ところで、電子レンジを用いて加熱する場合、一般に、加熱容器１００は、電子レンジの回転皿の上に載せられて回転しているが、回転皿が何かにひっかかり、回転皿が止まるなどで、回転皿が電子レンジ内で何かに引っかかり回転が不均一になったり、あるいは、回転皿のセットがまずく傾いていたりして、加熱中に、内容器１２０を横方向にずれ動かすような振動が加熱容器１００に加わる場合がある。
また、上記加熱容器１００の場合、電子レンジを用いて内容器１２０に収容したワックス剤Ｗを融解させるようになっているが、使用者によっては、誤って、電子レンジでの加熱時間を設定以上にしてしまい、ワックス剤Ｗを外容器の耐熱温度をはるかに超えた温度まで加熱してしまう場合がある。
【００１２】
したがって、ワックス剤の温度が上がりすぎるとともに、振動によって内容器１２０が外容器１１０内でずれ動いて、内容器１２０の壁面と、外容器１１０の壁面が直接接触した場合、外容器１１０が溶けて変形してしまうおそれがあった。
【００１３】
本発明は、上記事情に鑑みて、少量のワックス剤を電子レンジで容易に融解させることができるとともに、内容器が振動によって横ずれしにくいワックス剤の加熱容器を提供することを目的としている。
【課題を解決するための手段】
【００１４】
上記目的を達成するために、本発明にかかるワックス剤の加熱容器（以下、「本発明の加熱容器」と記す）は、固形のワックス剤が収容された状態で電子レンジ内に入れられて、電子レンジ内に照射された電磁波によって前記ワックス剤を加熱溶融可能なワックス剤の加熱容器であって、前記ワックス剤が直接入れられる上部開口の紙製の内容器と、この内容器が収容される上部開口の樹脂製の外容器を備え、前記内容器は、内容器本体と、この内容器本体の上縁から外側に張り出す鍔部を有し、前記外容器は、前記内容器全体を収容可能で、上端部が、前記鍔部の外周面に沿う内面形状をしていて、内容器本体の周壁との間に隙間が形成される大きさをした外容器本体と、この外容器本体の内壁面から突設され、前記外容器本体内に収容された前記内容器本体の少なくとも底を前記外容器本体の底から浮き上がった状態に支える複数のリブを備えていることを特徴としている。
【００１５】
上記目的を達成するために、本発明にかかるワックス剤の加熱容器（以下、「本発明の加熱容器」と記す）は、固形の脱毛処理用ワックス剤が収容された状態で電子レンジ内に入れられて、電子レンジ内に照射された電磁波によって前記脱毛処理用ワックス剤を加熱溶融可能で、前記脱毛処理用ワックス剤が直接入れられる上部開口の紙製の内容器と、この内容器が収容される上部開口の樹脂製の外容器を備え、前記内容器は、内容器本体と、この内容器本体の上縁から外側に張り出す鍔部を有し、前記外容器は、前記内容器全体を収容可能で、上端部が、前記鍔部の外周面に沿う内面形状をしていて、内容器本体の周壁との間に隙間が形成される大きさをした外容器本体と、この外容器本体の内壁面から突設され、前記外容器本体内に収容された前記内容器本体の少なくとも底を前記外容器本体の底から浮き上がった状態に支える複数のリブを備えている脱毛処理用ワックス剤の加熱容器であって、前記内容器は、薄紙のシートが深絞り成形されるとともに、前記薄紙のシートの周縁が外側に向かって筒状に巻き込まれた状態の前記鍔部を有し、前記外容器は、前記リブが、前記外容器本体の内底から立ち上がり、前記内容器本体の底の周縁部を受ける底受部と、前記外容器本体の下端部内側壁から外容器内側に突設され、前記内容器本体の側面と、下端部と対面するように設けられた横ずれ規制部を有する側面視略Ｌ字形をしているとともに、前記底受部が、他のリブの底受部と不連続状態となっており、かつ、前記横ずれ規制部が、前記内容器を、前記外容器本体内へ正常に収容した状態で、前記内容器本体との間に隙間が生じるように、前記外容器本体の側壁に沿って設けられていることを特徴としている。
【００１８】
さらに、上記リブは、その数が３〜５個で、放射状に等ピッチで設けられていることが好ましい。
すなわち、少なすぎると、リブを設ける十分な効果が期待できず、多すぎても、内容器本体の底の外容器を構外容器内に十分に水を入れることができなくなるおそれがある。
【００１９】
本発明の加熱容器の外容器に用いられる樹脂としては、特に限定されないが、例えば、高密度ポリエチレン、ポリプロピレン、ポリカーボネート、ポリアミドなどの１００℃以上の耐熱性を有する樹脂が挙げられ、中でもポリプロピレンが好ましい。
【００２０】
本発明の加熱容器で融解されるワックス剤としては、例えば、俗にブラジリアンワックスやビキニワックスと称されるもので、蜜蝋や蝋などのワックス成分、松ヤニなどが含まれるとともに、必要に応じて、香料、保湿剤、栄養剤、顔料等の添加剤を適宜添加したものが挙げられ、市販のものでも構わない。
【発明の効果】
【００２１】
本発明の加熱容器は、以上のように、固形のワックス剤が収容された状態で電子レンジ内に入れられて、電子レンジ内に照射された電磁波によって前記ワックス剤を加熱溶融可能なワックス剤の加熱容器であって、前記ワックス剤が直接入れられる上部開口の紙製の内容器と、この内容器が収容される上部開口の樹脂製の外容器を備え、前記内容器は、内容器本体と、この内容器本体の上縁から外側に張り出す鍔部を有し、前記外容器は、前記内容器全体を収容可能で、上端部が、前記鍔部の外周面に沿う内面形状をしていて、内容器本体の周壁との間に隙間が形成される大きさをした外容器本体と、この外容器本体の内壁面から突設され、前記外容器本体内に収容された前記内容器本体の少なくとも底を前記外容器本体の底から浮き上がった状態に支える複数のリブを備えている。
したがって、電子レンジによる加熱中に、内容器本体が、外容器本体内で横ずれを起こすような振動が加わったとしても、内容器の鍔部が、外容器本体の内壁面に当接しているため、内容器本体の外容器本体内で横ずれが防止される。また、内容器本体の底がリブによって受けられているので、内容器本体の底も外容器本体の底に直接接触することがない。
【図面の簡単な説明】
【００２２】
本発明の加熱容器は、以上のように、固形の脱毛処理用ワックス剤が収容された状態で電子レンジ内に入れられて、電子レンジ内に照射された電磁波によって前記脱毛処理用ワックス剤を加熱溶融可能で、前記脱毛処理用ワックス剤が直接入れられる上部開口の紙製の内容器と、この内容器が収容される上部開口の樹脂製の外容器を備え、前記内容器は、内容器本体と、この内容器本体の上縁から外側に張り出す鍔部を有し、前記外容器は、前記内容器全体を収容可能で、上端部が、前記鍔部の外周面に沿う内面形状をしていて、内容器本体の周壁との間に隙間が形成される大きさをした外容器本体と、この外容器本体の内壁面から突設され、前記外容器本体内に収容された前記内容器本体の少なくとも底を前記外容器本体の底から浮き上がった状態に支える複数のリブを備えている脱毛処理用ワックス剤の加熱容器であって、前記内容器は、薄紙のシートが深絞り成形されるとともに、前記薄紙のシートの周縁が外側に向かって筒状に巻き込まれた状態の前記鍔部を有し、前記外容器は、前記リブが、前記外容器本体の内底から立ち上がり、前記内容器本体の底の周縁部を受ける底受部と、前記外容器本体の下端部内側壁から外容器内側に突設され、前記内容器本体の側面と、下端部と対面するように設けられた横ずれ規制部を有する側面視略Ｌ字形をしているとともに、前記底受部が、他のリブの底受部と不連続状態となっており、かつ、前記横ずれ規制部が、前記内容器を、前記外容器本体内へ正常に収容した状態で、前記内容器本体との間に隙間が生じるように、前記外容器本体の側壁に沿って設けられている。
したがって、電子レンジによる加熱中に、内容器本体が、外容器本体内で横ずれを起こすような振動が加わったとしても、内容器の鍔部が、外容器本体の内壁面に当接しているため、内容器本体の外容器本体内で横ずれが防止される。また、内容器本体の底がリブによって受けられているので、内容器本体の底も外容器本体の底に直接接触することがない。
また、上記リブは、底受部が内容器本体の底を受けて、内容器本体の底が外容器本体に接触することが防止できるとともに、内容器本体が横ずれしようとしても内容器本体の側周面の一部が横ずれ規制部に受けられ、内容器本体の側周面が、外容器本体の側周壁に直接接触することが防止できる。
そして、横ずれ規制部は、内容器が、外容器本体内へ正常に収容された状態で、横ずれ規制部と内容器本体との間に隙間が生じるように設けられているので、内容器が外容器本体内に正常にセットされた場合には、内容器が外容器と接触する接触部位は、内容器の鍔部部分と、リブの底受部のみの極力少ない面積とすることができ、正常な使用状態においてもワックス剤の熱による外容器の熱変形を極力防止することができる。
【発明を実施するための形態】
【００２３】
以下に、本発明を、その実施の形態をあらわす図面を参照しつつ詳しく説明する。
図１は本発明の加熱容器の１つの実施の形態の斜視図、図２はキャップを取り除いた状態の平面図、図３は図２のＡ−Ａ断面図である。
【００２４】
図１〜図３に示すように、この加熱容器１は、外容器２と、内容器３と、キャップ４を備えている。
外容器２は、ポリプロピレンで形成されていて、図３および図４に示すように、外容器本体２１と、４つのリブ２２を備えている。
【００２５】
外容器本体２１は、底２１ａから上方に向かって側周壁２１ｂが徐々に拡径するカップ状をしていて、底２１ａから下方に向かってリング状の脚部２３が突設されている。
また、側周壁２１ｂは、後述するキャップ４の嵌合凹部に嵌合する嵌合突条２１ｃが上端外周面から突設されているとともに、後述するワックス剤Ｗの秤量線となる突条２１ｄが内容器３の鍔部３２が上端部内壁から突設されている。
【００２６】
４つのリブ２２は、図２に示すように、放射状に等ピッチで、図３および図４に示すように、外容器本体２１の底２１ａから側周面２１ｂの下端部に沿うように設けられ、底受部２２ａと、横ずれ規制部２２ｂを有する側面視略Ｌ字形をしている。
底受部２２ａは、後述する内容器本体３１の底３１ａを受けるように外容器本体２１の底２１ａに対してほぼ平行に設けられている。
横ずれ規制部２２ｂは、内容器本体３１の側周面に沿う角度で底受部２２ａの基端から立ち上がるように設けられている。
【００２７】
内容器３は、薄紙のシートを深絞り成形することによって製造されていて、内容器本体３１と、鍔部２２を備えている。
内容器本体３１は、その底３１ａがほぼ平坦面となっていて、側周壁３１ｂが底３１ａの周縁から立ち上がるように設けられている。
鍔部２２は、側周壁３１ｂの上端から外側に張り出すように設けられている。
【００２８】
内容器３は、薄紙のシートを深絞り成形することによって製造されていて、内容器本体３１と、鍔部３２を備えている。
内容器本体３１は、その底３１ａがほぼ平坦面となっていて、側周壁３１ｂが底３１ａの周縁から立ち上がるように設けられている。
鍔部３２は、側周壁３１ｂの上端から外側に張り出すように設けられている。
【００２９】
そして、この加熱容器１は、キャップ４を取り除き、必要量の固形のワックス剤Ｗを内容器３に収容した状態で、図２に示すように、内容器３を内容器本体３１の底３１ａがリブ２２の底受部２２ａに受けられ、内容器本体３１の側周壁が、リブ２２の横ずれ規制部２２ｂに接触せず、鍔部３２が完全に外容器本体２１内に入り込んだ正常セット位置（図３参照）にセットされるように、外容器本体２１内に収容する。
つぎに、キャップ４を取り除いた状態で加熱容器１を電子レンジ（図示せず）に入れてワクッス剤Ｗの量に応じて適した時間、電磁波を照射し、ワクッス剤Ｗを加熱して所定の融解状態まで融解させた融解ワックス剤Ｗ１を得たのち、従来と同様にして鼻毛の脱毛処理を行う。
【００３０】
なお、脱毛処理後、内容器３内に固形状態に戻ったワックス剤Ｗが残っていれば、キャップ４を装着して保存し、再度使用する際に、同様にして電子レンジで再加熱して、ワックス剤Ｗを再融解させればよい。また、量が不足する場合は、固形のワックス剤Ｗを不足分だけ補充して再加熱するようにしてもよい。
【００３１】
この加熱容器１は、上記のように、正常セット状態では、内容器３が外容器本体２１内に完全に収容された状態となり、内容器３の鍔部３２が外容器本体２１の内壁面に周方向で接触し、内容器３に上端側の横ずれが規制される。
そして、内容器本体３１の底３１ａがリブ２２の底受部２２ａに受けられて外容器本体２１に接触することが防止される。
【００３２】
また、電子レンジの回転皿の回転不良や振動等によって、加熱容器１に内容器本体３１の下端側に横ずれ方向の力が加わり、横ずれしようとしても横ずれ規制部２２ｂによって、動きが規制されて内容器本体３１の側周壁が外容器本体２１の側壁面に接触することを防止できる。
したがって、内容器本体３１内の融解ワックス剤Ｗ１の熱によって外容器本体２１が熱変形するようなことを防止することができる。
【００３４】
本発明は、上記の実施の形態に限定されない。例えば、上記の実施の形態では、外容器本体の内壁面に計量用の標線となる突条が形成されていたが、標線は印刷でも構わないし、なくても構わない。また、標線を複数段に設けても構わない。
【００３５】
上記の実施の形態では、外容器本体内に水を入れなかったが、ワックス剤の融解を促進するために水を入れるようにしても構わない。
【符号の説明】
【００３６】
１  加熱容器
２  外容器
３  内容器
４  キャップ
２１  外容器本体
２２  リブ
２１ａ  底
２１ｂ  側周壁
２３  脚部
２１ｃ  嵌合突条
２１ｄ  突条
３２  鍔部
２２ａ  底受部
２２ｂ  横ずれ規制部
３１ａ  底
３１  内容器本体
３１ｂ  側周壁
４１  天板部
４２  嵌合筒部
Ｗ  ワックス剤（固形）
Ｗ１  融解ワックス剤
【図１】
0006703891.tif 000002
【図２】
0006703891.tif 000003
【図３】
0006703891.tif 000004
【図４】
0006703891.tif 000005
【図５】
0006703891.tif 000006
【図６】
0006703891.tif 000007
【図７】
0006703891.tif 000008
【図８】
0006703891.tif 000009
【図９】
0006703891.tif 000010
【図１０】
0006703891.tif 000011